【手続補正書】
【提出日】平成16年2月9日(2004.2.9)
【手続補正１】
【補正対象書類名】明細書
【補正対象項目名】発明の名称
【補正方法】変更
【補正の内容】
【発明の名称】液晶表示装置の駆動回路およびその駆動方法
【手続補正２】
【補正対象書類名】明細書
【補正対象項目名】特許請求の範囲
【補正方法】変更
【補正の内容】
【特許請求の範囲】
【請求項１】
複数の信号電極を駆動する信号電極駆動装置と、複数の走査電極を駆動する走査電極駆動装置からなる液晶表示装置の駆動回路において、
電源揺動法を用いて駆動している走査電極駆動装置に、外部システムからの入力信号を直接入力して制御できるよう構成したことを特徴とする液晶表示装置の駆動回路。
【請求項２】
請求項１に記載の液晶表示装置の駆動回路において、
走査電極駆動装置の内部に、外部システムからの入力信号の信号電圧レベルを変換する信号レベル変換回路を設けたことを特徴とする液晶表示装置の駆動回路。
【請求項３】
請求項２に記載の液晶表示装置の駆動回路において、
信号レベル変換回路は、外部システムからの入力信号のハイレベル電位とロウレベル電位を走査電極駆動装置の駆動電圧のハイレベル電位とグランド電位とに変換する機能を有することを特徴とする液晶表示装置の駆動回路。
【請求項４】
請求項３に記載の液晶表示装置の駆動回路において、
信号レベル変換回路は、信号入力部と信号出力部およびこれらを接続するインバータ部とから構成され、
信号入力部は、
外部システムからの信号入力端、
入力信号のハイレベル電位（ＶＤＬ）に接続する第１の電源入力端、
入力信号のロウレベル電位（ＶＳＬ）に接続する第２の電源入力端、
走査電極駆動装置の低耐圧の電源電位（ＶＣＣ）に接続する第３の電源入力端、
および走査電極駆動装置のグランド電位（ＶＳＳ）に接続する第１の接続端を有し、
第１の導電型を有するＭＯＳＦＥＴであって、ソースが第１の電源入力端に接続され、ゲートが信号入力端に接続された第１のＭＯＳＦＥＴ（１０１）、
第１の導電型を有するＭＯＳＦＥＴであって、ソースが信号入力端に接続され、ゲートが第２の電源入力端に接続され、かつ前記第１のＭＯＳＦＥＴ（１０１）と共通のバックゲートを有する第２のＭＯＳＦＥＴ（１０２）、
第２の導電型を有するＭＯＳＦＥＴであって、ソースが前記第１のＭＯＳＦＥＴ（１０
１）のドレインに接続され、ゲートが第３の電源入力端に接続された第３のＭＯＳＦＥＴ（１０３）、
第２の導電型を有するＭＯＳＦＥＴであって、ソースが前記第２のＭＯＳＦＥＴ（１０２）のドレインに接続され、ゲートが第３の電源入力端に接続され、かつ前記第３のＭＯＳＦＥＴ（１０３）と共通のバックゲートを有する第４のＭＯＳＦＥＴ（１０４）、
第２の導電型を有するＭＯＳＦＥＴであって、ソースが前記第３のＭＯＳＦＥＴ（１０３）のドレインに接続され、ドレインが第１の接続端に接続され、ゲートが第２のＭＯＳＥＦＴ（１０２）のドレインに接続された第５のＭＯＳＦＥＴ（１０５）、
第２の導電型を有するＭＯＳＦＥＴであって、ソースが前記第４のＭＯＳＦＥＴ（１０４）のドレインに接続され、ドレインが第１の接続端に接続され、ゲートが前記第１のＭＯＳＥＦＴ（１０１）のドレインに接続された第６のＭＯＳＦＥＴ（１０６）で構成され、
インバータ部は、
ＭＯＳＦＥＴ（１０７、１０８）による第１段のインバータとＭＯＳＦＥＴ（１０９、１１０）による第２段のインバータの２段に構成され、前記第１の電源入力端がインバータ部の電源入力端に接続され、前記第２のＭＯＳＦＥＴ（１０２）のドレインが第１段のインバータの入力端に接続されており、
信号出力部は、
第１の導電型を有するＭＯＳＦＥＴであって、ソースが走査電極駆動装置の低耐圧の電源電位（ＶＣＣ）に接続された第７のＭＯＳＦＥＴ（１１１）と第８のＭＯＳＦＥＴ（１１３）、
第２の導電型を有するＭＯＳＦＥＴであって、ソースが前記第７のＭＯＳＦＥＴ（１１１）のドレインに接続されるとともに前記第８のＭＯＳＦＥＴ（１１３）のゲートに接続され、ドレインが第１の接続端に接続され、ゲートが前記第２段のインバータの出力端に接続された第９のＭＯＳＦＥＴ（１１２）、
第２の導電型を有するＭＯＳＦＥＴであって、ソースが前記第８のＭＯＳＦＥＴ（１１３）のドレインに接続されるとともに前記第７のＭＯＳＦＥＴ（１１１）のゲートに接続され、ドレインが第１の接続端に接続され、ゲートが前記第１段のインバータの出力端に接続された第１０のＭＯＳＦＥＴ（１１４）で構成され、前記第１０のＭＯＳＦＥＴ（１１４）のソースを信号出力端とすることを特徴とする液晶表示装置の駆動回路。
【請求項５】
複数の信号電極を駆動する信号電極駆動装置と、
複数の走査電極を駆動する走査電極駆動装置からなる液晶表示装置の駆動回路において、
電源揺動法を用いて駆動している走査電極駆動装置に、外部システムからの入力信号を直接入力して制御することを特徴とする液晶表示装置の駆動方法。
【手続補正３】
【補正対象書類名】明細書
【補正対象項目名】００１５
【補正方法】変更
【補正の内容】
【００１５】
【発明の実施の形態】
図１は本発明を実施するために走査電極駆動装置の内部に設ける信号レベル変換回路の構成を示す図である。１０１、１０２、１０７、１０９は高耐圧のｐｍｏｓで、１０３、１０４、１０５、１０６、１０８、１１０、１１２、１１４は高耐圧のｎｍｏｓで、１１１、１１３は低耐圧のｐｍｏｓである。信号レベル変換回路は、ｍｏｓ１０１、１０２、１０３、１０４、１０５、１０６で信号入力部を構成し、信号入力部にはＶＤＬ、ＶＳＬ、ＶＣＣ等の電源電位の入力端とグランド電位ＶＳＳとの接続端を設けてあり、ｍｏｓ１１１、１１２、１１３、１１４で信号出力部を構成し、ｍｏｓ１０７、１０８、１０９、１１０による２段のインバータからなるインバータ部が信号入力部と信号出力部を接続している。
【手続補正４】
【補正対象書類名】明細書
【補正対象項目名】００１６
【補正方法】変更
【補正の内容】
【００１６】
図１中で走査電極駆動装置に入力している電源電位を、図２で示している。図２の電位を説明すると、ＶＤＤは走査電極駆動装置内部での高耐圧の電源電位、ＶＣＣは走査電極駆動装置内部での低耐圧の電源電位、ＶＳＳは走査電極駆動装置内部でのグランド電位、ＶＤＬは外部システムの入力信号のハイレベル電位、ＶＳＬは外部システムの入力信号のロウレベル電位つまり、外部システムでのグランド電位を示している。


【手続補正５】
【補正対象書類名】明細書
【補正対象項目名】００１７
【補正方法】変更
【補正の内容】
【００１７】
図１に示した信号レベル変換回路の動作を説明する。まず、入力信号がハイレベル、つまり、ＶＤＬが入力された場合を説明する。ＶＤＬが入力されると、ｐｍｏｓ１０１はオフし、ｐｍｏｓ１０２がオンする。


【手続補正６】
【補正対象書類名】明細書
【補正対象項目名】００２０
【補正方法】変更
【補正の内容】
【００２０】
ｐｍｏｓ１０２、ｎｍｏｓ１０５はそれぞれオンしているが、それと各々直列に並んでいるｎｍｏｓ１０４、ｐｍｏｓ１０１はオフしているため、入力信号が変化するとき以外には電流は流れず、従って、無駄な消費電流を減らすことができる。


【手続補正７】
【補正対象書類名】明細書
【補正対象項目名】００３２
【補正方法】変更
【補正の内容】
【００３２】
以上の動作説明を行ったように、入力信号がＶＤＬで入力されると、図１の信号レベル変換回路によりレベル変換が行われ、ＶＣＣにシフトされる。つまり、走査電極駆動装置内部における低圧ロジックのハイレベルの信号に変換されたことになる。


【手続補正８】
【補正対象書類名】明細書
【補正対象項目名】００３３
【補正方法】変更
【補正の内容】
【００３３】
同様に、入力信号がＶＳＬで入力されると、図１の信号レベル変換回路によりレベル変換が行われ、ＶＳＳにシフトされる。これは、走査電極駆動装置内部における低圧ロジックのロウレベルの信号に変換されたことになる。


【手続補正９】
【補正対象書類名】明細書
【補正対象項目名】図１
【補正方法】変更
【補正の内容】
【図１】本発明の実施例における信号レベル変換回路の構成を示す図である。